(57)【要約】      （修正有）【課題】電子機器の底部ケースのパッド構造を提供する。【解決手段】電子機器の底部ケース１１に設けられた複数のパッド４０の底部に適切な傾斜面を形成し、この傾斜面が電子機器の自重或いは電子機器を操作するときの下向きに加える圧力によりパッドを押し付けて、載置面に対するパッドの接触面を大きくし、電子機器に対する支持面積を増加させ、これにより電子機器底部と載置面との間にある高さの不均一を吸収して、電子機器を安定して支持すると共に、止め滑りの効果を図る。【選択図】図５
0003118082.tif 000002
【実用新案登録請求の範囲】
【請求項１】
電子機器の底部ケースの適当箇所に設置される電子機器の底部ケースのパッド構造であって、上記パッドが上記電子機器の自重或いは操作する際の下向きの圧力を受け、上記パッドを収縮させることで上記載置面との接触面を大きくし、上記電子機器に対する支持面積を増加することを特徴とする電子機器の底部ケースのパッド構造。
【請求項２】
上記パッドを上から下へ斜めに切断することにより非水平角度の斜面を構成し、上記載置面に接する上記パッドの端部を電子機器に接続した端部によりも狭く構成することを特徴とする請求項1に記載する電子機器の底部ケースのパッド構造。
【請求項３】
上記パッドがゴムような弾性を有する部材で構成されることを特徴とする請求項1に記載する電子機器の底部ケースのパッド構造。
【請求項４】
上記パッドが電子機器の自重を受ける際は、上記載置面に点状の接触であることを特徴とする請求項1に記載する電子機器の底部ケースのパッド構造。
【請求項５】
電子機器に対し下向きの圧力を加えたときに、上記パッドは上記載置面に対し面状に接触するようになることを特徴とする請求項1に記載する電子機器の底部ケースのパッド構造。
【考案の詳細な説明】
【技術分野】
【０００１】
本考案は電子機器の底部ケースのパッド構造に関し、特に、電子機器の自重或いは電子機器の下向きに加わる圧力を吸収するために、載置面との接触面を大きくすることが可能なパッド構造に関する。
【背景技術】
【０００２】
従来の電子機器、例えば、蓋開き可能の計算機、電子辞書、ノートパソコン、携帯通信装置などの電子機器は、普通はテーブル上面に載置されて使用される。  
しかし、工場において電子機器の下部ケースを製造するとき、製造コストの関係、あるいは加工処理工程で上記電子機器の下部ケースを完全に平らにすることができない。
更に、電子機器を開くために上蓋を上げるときには、上蓋のヒンジの開き機能による応力を受ける。これは電子機器に備わった元来のバランスを低下する要因となる。これらの要因により、電子機器を使用している内に、ボタンを押しても中心点に接触できなくなってズレが発生する。そうすると、ボタンの寿命が短縮し、タッチ感が悪くなり、或いは又は、ボタンを押す際に揺れが起きるなどの不具合がある。
【０００３】
図１〜図３に従来の電子機器の底部ケースを示す。
図１に示す電子機器１０の底部ケース１１には複数個のゴム材料のパッド体２０が設けられていて、上記パッド体２０には突起した支持部２１を有する。
図２に示すように、上記電子機器１０が机などの表面となる載置面３０に置かれると、電子機器１０の自重によりパッド体２０は多少圧縮され、パッド体２０の支持部２１と載置面３０の間に点接触が生ずる。
更に、図３に示すように、使用者が電子機器を下方向に押しつける力を加えると、支持部２１が図示矢印のように下方への動作力を受け、パッド体２０が圧縮される。
【０００４】
しかし、このような従来技術の底部ケース１０では支持部２１のゴム材料の死点まで圧縮したとしても、載置面３０とは点接触でしか接触できないため、高度の荷重吸収量であるとか、滑り止め効果や、バランス向上などの効果に対して、依然として正確性を欠いる。
【０００５】
本考案の考案者が、以前に提案した台湾特許公告第３２４５３８号の「電子機器の底部ケースのパッド構造の向上」は上述したパッドの不具合に対して改良を加え、上記の欠点を解決し、産業上の利用性を高めた。
しかし、この台湾特許における支持アームと凹む弾性アームとを互いに組合わせる構造はやや複雑であった。従って、この複雑な構造をさらに簡単な構造にして、上述した欠点を徹底的に解決できるパッド構造を提供するために、鋭意努力し研究してきた。
【特許文献１】台湾特許公告第３２４５３８号
【考案の開示】
【考案が解決しようとする課題】
【０００６】
本考案は電子機器の底部ケースのパッド構造を提供することを目的とするもので、電子機器の自重で、或いは、電子機器を押し付けた時の下向きに加わる圧力によって適切にパッドが変形することで、電子機器のバランスを維持し、使用者がボタンを押した時に良好な接触感を得られるようにした。
【０００７】
本考案の別の目的は、パッドの変形程度によって電子機器に対し良好な滑り止めの効果を提供する。
【課題を解決するための手段】
【０００８】
本考案の目的を達成するために、本考案のパッドには傾斜面が設けられ、上記傾斜面により、電子機器の自重により、或いは、電子機器に掛る下向きの圧力によってパッドが圧縮したときに、パッドと載置面との接触面を大きくし、これにより、電子機器に対する支持面積を増加させると共に、電子機器と載置面との間の不均一な高さの差を吸収し、電子機器を安定的に支持することができるようにする。
【考案を実施するための最良の形態】
【０００９】
本考案の目的、特徴、及び効果がこの分野を熟知する者に理解されるようにするために、以下に具体的な実施例によって添付図面と合わせて本考案を説明する。
【実施例】
【００１０】
図４は本考案の実施例を示すパッド配置の略図である。
電子機器１０の底部ケース１１には複数のパッド４０が設けられている。パッドの設置数量は、電子機器１０の体積によって決められるが、この実施例では、パッド４０は電子機器１０の底部ケース１の四隅にそれぞれ１個ずつ設置されている。
【００１１】
上記パッド４０の下方には、ゴム製の傾斜面４１（傾斜角度は、実際に使用する場合の状況によって調整できる）が設けてある。  
パッド４０に設けられた傾斜面４１は上から下へ斜めに切断されていることにより、パッド４０と載置面３０との相互の接触端は、電子機器１０端部よりも狭くなっている。
パッド４０は、ゴム材料の弾性特徴によって  電子機器１０の自重或いは下向きの圧力に高感度をもって反応する。
【００１２】
図５に示すように、電子機器１０が載置面３０に置かれると、上記パッド４０が電子機器１０の自重を受け、点状の或いは小さな接触面積で載置面３０に接触する。
【００１３】
図６の矢印のように電子機器を操作するときに、電子機器１０に上から下へ圧力を加えると、上記パッド４０がこの力に反応して、より大きい圧縮状態を発生し、パッド４０の底部に配設された傾斜面４１と載置面３０の間の接触面が、点状接触から面状の接触に拡大される。このとき、パッド４０は電子機器１０と載置面３０の間の不均一な高さの差を吸収する。
【００１４】
さらに、電子機器１０のケース製造の際のアンバランスが、パッド４０の高感度吸収力により最低限に抑えられるか全く消え、パッド４０と載置面３０の間の接触面積が大きくなるため、電子機器１０が載置面３０に置かれた状態の場合の滑り止め効果を高める。上から押し付けられる力がなくなると、上記パッド４０は自身材料の弾性力が付勢され、電子機器１０の重さを受けただけの点状接触に戻るようになる。
【００１５】
上記構成に従って、本考案に係る電子機器の底部ケースのパッド構造は従来におけるパッドの不具合を解決できると共に、電子機器の自重で、或いは電子機器に掛けた下方の力によって、載置面との間の接触面積を拡大し、電子機器のバランスを維持し、電子機器のボタンを操作するときに使用者に良好な接触感を与えるという点を提供し、大きな産業上の利用可能性を有する。
【００１６】
以上、本考案を詳細に説明したが、上述の特徴は本考案の好ましい実施例に過ぎず、本考案はこの実施例に限定されるものではない。本考案は添付の実用新案登録請求の範囲によってのみ限定されるものであり、請求の範囲内で行なわれる修正・変更などは、全て本考案に含まれるものである。
【図面の簡単な説明】
【００１７】
【図１】電子機器に採用されている従来の底部ケースの支持パッド構造を示す概略図である。
【図２】図１のＡ部分の拡大図であり、従来のパッドが電子機器の自重を受けた時の該略図である。
【図３】図１のＡ部分の一部拡大図であり、電子機器に対し上から下への力が加えられたときの従来のパッドがと電子機器操作される時に、大きく受けられた力の拡大略図である。
【図４】本考案に係る、電子機器に採用されている従来の底部ケースの支持パッド構造を示す概略図である。
【図５】図４のＢ部分の拡大図であり、本考案のパッドが電子機器の自重のみを受けた時の状態を示す拡大略図である。
【図６】図４のＢ部分の拡大図であり、電子機器の上から更に大きな力が加えられたときに、本考案のパッド構造の傾斜面が電子機器載置面と大きく接触して、接触面積が拡大する状態を示している。
【符号の説明】
【００１８】
１０    電子機器
１１    底部ケース
２０    パッド体
２１    支持部
３０    載置面
４０    パッド
４１    傾斜面
【図１】
0003118082.tif 000003
【図２】
0003118082.tif 000004
【図３】
0003118082.tif 000005
【図４】
0003118082.tif 000006
【図５】
0003118082.tif 000007
【図６】
0003118082.tif 000008